(57)【要約】      （修正有）【課題】  螺鈿加工部材を一定以上の角度に屈曲したり強く撓ませた場合であっても、螺鈿片が螺鈿保護層を突き破ったり外部へ飛散するのを防止する螺鈿加工部材の製造方法及び螺鈿加工品を提供。【解決手段】  所定の形状に形成された面状螺鈿部材２を、所定の接着層３を介して可撓性を有した有色透明又は無色透明の螺鈿保護材４にて挟み込み螺鈿加工部材本体１ａを形成し、その後接着層３を介して螺鈿保護材４が面状螺鈿部材２を固着保持するまでの間に、螺鈿加工部材本体１ａの一面１ｂ側又は他面１ｃ側の少なくとも何れか一方より複数の凸部位５ａを備えた押圧体５により該螺鈿加工部材本体１ａを押圧して螺鈿加工部材本体１ａ内の面状螺鈿部材２を広範囲に破断させ、その後押圧体５の退避により面状螺鈿部材２に形成された多数の破断空間部位２ａに前記接着層３を流し込んで固着させて面状螺鈿部材２を一面状に再形成する。【選択図】  図１
2007196644.tif 000002
【特許請求の範囲】
【請求項１】
所定の形状に形成された面状螺鈿部材（２）を、所定の接着層（３）を介して可撓性を有した有色透明又は無色透明の螺鈿保護材（４）にて挟み込み螺鈿加工部材本体（１ａ）を形成し、その後前記接着層（３）を介して螺鈿保護材（４）が面状螺鈿部材（２）を固着保持するまでの間に、前記螺鈿加工部材本体（１ａ）の一面（１ｂ）側又は他面（１ｃ）側の少なくとも何れか一方より複数の凸部位（５ａ）を備えた押圧体（５）により該螺鈿加工部材本体（１ａ）を押圧して螺鈿加工部材本体（１ａ）内の面状螺鈿部材（２）を広範囲に破断させ、その後押圧体（５）の退避により面状螺鈿部材（２）に形成された多数の破断空間部位（２ａ）に前記接着層（３）を流し込んで固着させて面状螺鈿部材（２）を一面状に再形成することを特徴とする螺鈿加工部材の製造方法。
【請求項２】
所定の形状に形成された面状螺鈿部材（２）を、所定の接着層（３）を介して可撓性を有した有色透明又は無色透明の螺鈿保護材（４）にて挟み込み螺鈿加工部材本体（１ａ）を形成し、その後前記接着層（３）を介して螺鈿保護材（４）が面状螺鈿部材（２）を固着保持するまでの間に、前記螺鈿加工部材本体（１ａ）の一面（１ｂ）側又は他面（１ｃ）側の少なくとも何れか一方より所定の円弧部（６ａ）を有した型体（６）で押圧転動するか又は該型体（６）の円弧部（６ａ）に上記螺鈿加工部材本体（１ａ）を添わせて移動させることにより、該螺鈿加工部材本体（１ａ）内の面状螺鈿部材（２）を広範囲に破断させ、その後螺鈿加工部材本体（１ａ）がもとの状態に復元する際、前記破断空間部位（２ａ）の夫々に前記接着層（３）を流し込んで固着させて面状螺鈿部材（２）を一面状に再形成することを特徴とする螺鈿加工部材の製造方法。
【請求項３】
上記１又は２の方法により製造された螺鈿加工部材（１）又は該螺鈿加工部材（１）を所定の形状及び大きさに切断して得られた複数の螺鈿加工部材（１）の一端（１Ａ）側の夫々を固着し、且つ自由片を形成する他端（１Ｂ）側又は螺鈿加工部材（１）全体の少なくとも何れか一方に熱風を吹き付けることにより各螺鈿加工部材（１）を熱変形させて得られることを特徴とする螺鈿加工品。
【請求項４】
上記螺鈿加工品（７）には、係止部材（８）が固着されてなることを特徴とする請求項３記載の螺鈿加工品。
【請求項５】
上記１又は２の方法により製造された螺鈿加工部材（１）又は該螺鈿加工部材（１）を所定の形状及び大きさに切断して得られた複数の螺鈿加工部材（１）の一面（１ｂ）側又は他面（１ｃ）側の少なくとも何れか一方に係止部材（８）を固着したことを特徴とする螺鈿加工品。
【請求項６】
上記１又は２の方法により製造された螺鈿加工部材（１）の一面（１ｂ）側又は他面（１ｃ）側の少なくとも何れか一方に粘着層（９）を設け、その後該螺鈿加工部材（１）を帯状又は所定形状に切断して得られることを特徴とする螺鈿加工品。
【請求項７】
上記粘着層（９）には、使用時に剥がしとる剥離部材（１０）が貼り付けられてなることを特徴とする請求項６記載の螺鈿加工品。
【発明の詳細な説明】
【技術分野】
【０００１】  本発明は、使用時に湾曲させたり、又自然に撓むような環境下でも適宜使用可能な螺鈿加工部材の製造方法及びその製造方法を用いた螺鈿加工品に関し、更に詳しくは、着物、洋服等の衣類等に編み込んだり、更にコサージュ等多種多様のファッションアイテムとしての装飾具等のみならず高級家電製品や高級家具等特の高額商品に用いることでより簡単に高級感を演出して付加価値による利益を得ることが出来る螺鈿加工部材の製造方法及びその製造方法を用いた螺鈿加工品に関するものである。
【背景技術】
【０００２】  従来、この種の螺鈿加工部材としては、例えば、特許出願公開番号第２００２−３０９４２６号公報所載のものがある。【０００３】  かかる公報所載の螺鈿加工部材は、面状の螺鈿部材の少なくとも表面に、可撓性を有した螺鈿保護層が密着重合した構成にしてなるものである。【０００４】  即ち、上記構成からなる螺鈿加工部材は、螺鈿部材に外圧や衝撃等が生じた場合であっても螺鈿保護層により螺鈿部材を保護し、例え外圧や衝撃等により螺鈿部材の一部に割れや欠けが生じた場合でも、螺鈿保護層により割れた螺鈿部材が飛散したり移動したりするのを防止して、螺鈿部材が形成する図柄を維持することが出来るという利点を奏するものである。
【特許文献１】特開２００２−３０９４２６号
【発明の開示】
【発明が解決しようとする課題】
【０００５】  しかしながら、上記従来の螺鈿加工部材においては、下記に示すような問題が生じていた。【０００６】  即ち、上記従来の螺鈿加工部材は、例え外圧や衝撃等により螺鈿部材の一部に割れや欠けが生じた場合でも、螺鈿保護層により割れた螺鈿部材が飛散したり移動したりするのを防止して螺鈿部材が形成する図柄を維持することが出来、また螺鈿保護層自体の撓みにより螺鈿部材の割れや欠けの発生量をも最小限にとどめることが出来るものではあるが、如何せん、使用時において、かかる螺鈿加工部材をある一定以上の角度に屈曲したり強く撓ませたりして螺鈿部材自体の可撓限界を超えるようなストレスを与えると当然ながら螺鈿部材に破断が生じ、破断により生じた螺鈿片が螺鈿保護層を突き破ったり、また螺鈿保護層を突き破った螺鈿片が外部に飛散したりする等、しいては螺鈿部材の色調、模様、輝度も変化させてしまうという種々の問題が生じることとなり、何れにしても何らかの解決策が望まれていた。【０００７】  即ち、本発明は上記課題を解決すべくなされたものであり、螺鈿加工部材を一定以上の角度に屈曲したり強く撓ませた場合であっても、従来のように螺鈿部材自体の可撓限界を超えて螺鈿部材に破断が生じ、破断により生じた螺鈿片が螺鈿保護層を突き破ったり外部へ飛散するのを防止して螺鈿部材の色調、模様、輝度をも確実に維持することが出来る極めて優れた螺鈿加工部材の製造方法及びその製造方法を用いた螺鈿加工品を提供することを課題とするものである。
【課題を解決するための手段】
【０００８】  即ち、本発明は上記課題を解決すべくなされたものであり、かかる螺鈿加工部材の製造方法は、所定の形状に形成された面状螺鈿部材（２）を、所定の接着層（３）を介して可撓性を有した有色透明又は無色透明の螺鈿保護材（４）にて挟み込み螺鈿加工部材本体（１ａ）を形成し、その後前記接着層（３）を介して螺鈿保護材（４）が面状螺鈿部材（２）を固着保持するまでの間に、前記螺鈿加工部材本体（１ａ）の一面（１ｂ）側又は他面（１ｃ）側の少なくとも何れか一方より複数の凸部位（５ａ）を備えた押圧体（５）により該螺鈿加工部材本体（１ａ）を押圧して螺鈿加工部材本体（１ａ）内の面状螺鈿部材（２）を広範囲に破断させ、その後押圧体（５）の退避により面状螺鈿部材（２）に形成された多数の破断空間部位（２ａ）に前記接着層（３）を流し込んで固着させて面状螺鈿部材（２）を一面状に再形成することを特徴とするものである。【０００９】  更に、本発明における他の螺鈿加工部材の製造方法は、所定の形状に形成された面状螺鈿部材（２）を、所定の接着層（３）を介して可撓性を有した有色透明又は無色透明の螺鈿保護材（４）にて挟み込み螺鈿加工部材本体（１ａ）を形成し、その後前記接着層（３）を介して螺鈿保護材（４）が面状螺鈿部材（２）を固着保持するまでの間に、前記螺鈿加工部材本体（１ａ）の一面（１ｂ）側又は他面（１ｃ）側の少なくとも何れが一方より所定の円弧部（６ａ）を有した型体（６）で押圧転動するか又は該型体（６）の円弧部（６ａ）に上記螺鈿加工部材本体（１ａ）を添わせて移動させることにより、該螺鈿加工部材本体（１ａ）内の面状螺鈿部材（２）を広範囲に破断させ、その後螺鈿加工部材本体（１ａ）がもとの状態に復元する際、前記破断空間部位（２ａ）の夫々に前記接着層（３）を流し込んで固着させて面状螺鈿部材（２）を一面状に再形成することを特徴とするものである。【００１０】  よって、上記前者及び後者の製造方法によって得られる螺鈿加工部材（１）によれば、元来硬質な面状螺鈿部材（２）を具備した螺鈿加工部材（１）を使用時において強く折り曲げたり、湾曲させた場合であっても内部の面状螺鈿部材（２）が、自らに形成された多数の破断空間部位（２ａ）に流れ込んだ接着層（３）を介して一面状に再形成されてなることから、従来の様に、面状螺鈿部材（２）の予想出来ない箇所に可撓限界を超えて突発する割れや欠けを確実に防止することが出来、しいては突発する割れや欠けにより発生した螺鈿片が螺鈿保護材（４）を突き破ったり、又螺鈿保護材（４）を突き破った螺鈿片が外部に飛散するのを確実に防止することが出来ることから、その事が原因で生じる螺鈿加工部材本体（１ａ）の湾曲変形の防止や、割れや欠け等の発生による面状螺鈿部材（２）の色調、模様、輝度等の各種異常をも確実に防いで不良が発生しない極めて良好な螺鈿加工部材（１）を市場に流通させることが出来るという利点がある。【００１１】  更に、上記前者及び後者の方法により製造された螺鈿加工部材（１）又は該螺鈿加工部材（１）を所定の形状及び大きさに切断して得られた複数の螺鈿加工部材（１）の一端（１Ａ）側の夫々を固着し、且つ自由片を形成する他端（１Ｂ）側又は螺鈿加工部材（１）���体の少なくとも何れか一方に熱風を吹き付けることにより各螺鈿加工部材（１）を熱変形させた場合には、どんなに手荒く扱っても面状螺鈿部材（２）に割れや欠け、更には色調、模様、輝度等の各種異常をも生じることのない花びらが開花した様な美しい外観を有した全く新しい装飾具を市場に提供することが出来るという利点がある。【００１２】  更に、上記螺鈿加工品（７）に、係止部材（８）を固着した場合には、螺鈿特有の色調、模様、輝度を有した全く新しい輝きを放つコサージュ等の新種の装飾具として用いることが出来るという利点がある。【００１３】  又、上記１又は２の方法により製造された螺鈿加工部材（１）又は該螺鈿加工部材（１）を所定の形状及び大きさに切断して得られた複数の螺鈿加工部材（１）の一面（１ｂ）側又は他面（１ｃ）側の少なくとも何れか一方に係止部材（８）を固着した場合には、誰でも簡単且つ確実に装着脱出来るだけでなく、着脱時であっても面状螺鈿部材（２）に割れや欠け、更には色調、模様、輝度等の各種異常を生じさせずにかかる螺鈿加工部材（１）を用いた各種商品を長持ちさせることが出来るという利点がある。【００１４】  更に、上記前者及び後者の方法により製造された螺鈿加工部材（１）の一面（１ｂ）側又は他面（１ｃ）側の少なくとも何れか一方に粘着層（９）を設け、その後該螺鈿加工部材（１）を帯状又は所定形状に切断した場合には、螺鈿特有の色調、模様、輝度を有した全く新しい輝きを放つ飾りテープや飾りラベル等として、特に高級家具、高級家電、高額パソコン等の凹凸面部や湾曲面部に面状螺鈿部材（２）の割れや欠け、更には色調、模様、輝度等の各種異常を全く生じさせることなくに適用させて、より高級感を演出して各種製品に対する付加価値を高め利益を得ることが出来るという利点がある。【００１５】  更に、上記粘着層（９）に、使用時に剥がしとる剥離部材（１０）を貼り付けた場合には、作業時まで粘着層（９）の粘着力を強固且つ長期に保持することが出来るだけでなく、使用時に剥離部材（１０）を引き剥がして螺鈿加工部材本体（１ａ）に強い曲げ変形を与えた場合でも、面状螺鈿部材（２）に割れや欠け、更には色調、模様、輝度等の各種異常を生じさせることなく誰でも簡単に使用することが出来るという利点がある。
【発明の効果】
【００１６】  叙上の様に、本発明における螺鈿加工部材の製造方法は、所定の形状に形成された面状螺鈿部材（２）を、所定の接着層（３）を介して可撓性を有した有色透明又は無色透明の螺鈿保護材（４）にて挟み込み螺鈿加工部材本体（１ａ）を形成し、その後前記接着層（３）を介して螺細保護材（４）が面状螺鈿部材（２）を固着保持するまでの間に、前記螺鈿加工部材本体（１ａ）の一面（１ｂ）側又は他面（１ｃ）側の少なくとも何れか一方より複数の凸部位（５ａ）を備えた押圧体（５）により該螺鈿加工部材本体（１ａ）を押圧して螺鈿加工部材本体（１ａ）内の面状螺鈿部材（２）を広範囲に破断させ、その後押圧体（５）の退避により面状螺鈿部材（２）に形成された多数の破断空間部位（２ａ）に前記接着層（３）を流し込んで固着させて面状螺鈿部材（２）を一面状に再形成するものである。【００１７】  よって、元来硬質な面状螺鈿部材（２）を具備した螺鈿加工部材（１）を使用時において強く折り曲げたり、湾曲させた場合であっても内部の面状螺鈿部材（２）が多数の破断空間部位（２ａ）に流れ込んだ接着層（３）を介して一面状に再形成されてなることから、螺鈿加工部材（１）を一定以上の角度に屈曲したり強く撓ませた場合であっても、従来のように螺鈿保護層を突き破ったり飛散すべく予想が出来ない箇所に突発する螺鈿片の発生を防止することが出来、しいては螺鈿保護材（４）の突き破り不良のみならず、その事が原因で生じる螺鈿加工部材本体（１ａ）の湾曲変形をも防止することが出来るだけでなく、割れや欠け等の発生による面状螺鈿部材（２）の色調、模様、輝度等の各種異常をも確実に防いで不良が発生しない作業性の極めて良好な螺鈿加工部材（１）を市場に流通させることが出来るという格別な効果を奏する。【００１８】  更に、本発明における他の螺鈿加工部材の製造方法は、所定の形状に形成された面状螺鈿部材（２）を、所定の接着層（３）を介して可撓性を有した有色透明又は無色透明の螺鈿保護材（４）にて挟み込み螺鈿加工部材本体（１ａ）を形成し、その後前記接着層（３）を介して螺鈿保護材（４）が面状螺鈿部材（２）を固着保持するまでの間に、前記螺鈿加工部材本体（１ａ）の一面（１ｂ）側又は他面（１ｃ）側の少なくとも何れか一方より所定の円弧部（６ａ）を有した型体（６）で押圧転動するか又は該型体（６）の円弧部（６ａ）に上記螺鈿加工部材本体（１ａ）を添わせて移動させることにより、該螺鈿加工部材本体（１ａ）内の面状螺鈿部材（２）を広範囲に破断させ、その後螺鈿加工部材本体（１ａ）がもとの状態に復元する際、前記破断空間部位（２ａ）の夫々に前記接着層（３）を流し込んで固着させて面状螺鈿部材（２）を一面状に再形成するものである。【００１９】  よって、この場合でも、内部の面状螺鈿部材（２）が多数の破断空間部位（２ａ）に流れ込んだ接着層（３）を介して一面状に再形成されてなることから、螺鈿加工部材（１）を一定以上の角度に屈曲したり強く撓ませても、従来のように螺鈿保護層を突き破ったり飛散すべく予想が出来ない箇所に突発する螺鈿片の発生を確実に防止することが出来、しいては螺鈿保護材（４）の突き破り不良のみならず、その事が原因で生じる螺鈿加工部材本体���１ａ）の湾曲変形をも防止することが出来るだけでなく、割れや欠け等の発生による面状螺鈿部材（２）の色調、模様、輝度等の各種異常をも確実に防いで不良が発生しない作業性の極めて良好な螺鈿加工部材（１）を市場に流通させることが出来るという格別な効果を奏する。【００２０】  従って、上記製造方法により得られる螺鈿加工部材によれば、螺鈿保護層を突き破ったり飛散すべく予想が出来ない箇所に突発する螺鈿片の発生を確実に防止することで、衣類や各種生地に利用することが可能となるばかりか、鞄や靴、ベルト等のファッション製品への利用や、家具や寝具等のインテリア群等、極めて広範囲の用途にも使用することが出来ることから、螺鈿そのものの需要にも繋がり古典的な産業の新たな発展をも促進することが出来るという産業上の格別な効果をも有するに至った。【００２１】  更に、本発明は、上記前者及び後者の方法により製造された螺鈿加工部材（１）又は該螺鈿加工部材（１）を所定の形状及び大きさに切断して得られた複数の螺鈿加工部材（１）の一端（１Ａ）側の夫々を固着し、且つ自由片を形成する他端（１Ｂ）側又は螺鈿加工部材（１）全体の少なくとも何れか一方に熱風を吹き付けることにより各螺鈿加工部材（１）を熱変形させた場合には、どんなに手荒く扱っても面状螺鈿部材（２）に割れや欠け、更には色調、模様、輝度等の各種異常をも生じることのない花びらが開花した様な美しい外観を有した全く新しい装飾具を市場に提供することが出来るという利点がある。【００２２】  又、上記螺鈿加工品（７）に、係止部材（８）を固着した場合には、螺鈿特有の色調、模様、輝度を有した全く新しい輝きを放つコサージュ等の新種の装飾具として用いることが出来るという利点がある。【００２３】  更に、上記前者及び後者の方法により製造された螺鈿加工部材（１）又は該螺鈿加工部材（１）を所定の形状及び大きさに切断して得られた複数の螺鈿加工部材（１）の一面（１ｂ）側又は他面（１ｃ）側の少なくとも何れか一方に係止部材（８）を固着した場合には、誰でも簡単且つ確実に装着脱出来るだけでなく、着脱時であっても面状螺鈿部材（２）に割れや欠け、更には色調、模様、輝度等の各種異常を生じさせずにかかる螺鈿加工部材（１）を用いた各種商品を長持ちさせることが出来るという利点がある。【００２４】  更に、上記前者及び後者の方法により製造された螺鈿加工部材（１）の一面（１ｂ）側又は他面（１ｃ）側の少なくとも何れか一方に粘着層（９）を設け、その後該螺鈿加工部材（１）を帯状又は所定形状に切断した場合には、螺鈿特有の色調、模様、輝度を有した全く新しい輝きを放つ飾りテープや飾りラベル等として、特に高級家具、高級家電、高額パソコン等の凹凸面部や湾曲面部に面状螺鈿部材（２）の割れや欠け、更には色調、模様、輝度等の各種異常を全く生じさせることなくに適用させて、より高級感を演出して各種製品に対する付加価値を高め利益を得ることが出来るという利点がある。【００２５】  更に、上記粘着層（９）に、使用時に剥がしとる剥離部材（１０）を貼り付けた場合には、作業時まで粘着層（９）の粘着力を強固且つ長期に保持することが出来るだけでなく、使用時に剥離部材（１０）を引き剥がして���鈿加工部材本体（１ａ）に強い曲げ変形を与えた場合でも、面状螺鈿部材（２）に割れや欠け、更には色調、模様、輝度等の各種異常を生じさせることなく誰でも簡単に使用することが出来るという利点がある。【００２６】  従って、上記各種の螺鈿加工品によれば、着物、洋服等の衣類等に編み込んだり、更にコサージュ等多種多様のファッションアイテムとしての装飾具等のみならず高級家電製品や高級家具等特の高額商品に用いることでより簡単に高級感を演出して付加価値による利益を得ることが出来るという商業上の効果を奏するに至った。
【発明を実施するための最良の形態】
【００２７】  以下、本発明における螺鈿加工部材の製造方法を用いて螺鈿加工品を製造する場合の一実施形態を図面に従って説明する。
【第一実施形態】
【００２８】  図１（イ）において、１は本発明における螺鈿加工部材１を示すと共に、１ａは螺鈿加工部材本体を示し、かかる螺鈿加工部材本体１ａは、アワビ貝やアコヤ貝等の貝殻を、例えば矩形状等に薄くスライス加工して平面状に並べた複数枚の面状螺鈿部材２を所定の接着剤や溶剤等を用いた接着層３を介して可撓性を有した有色透明又は無色透明の軟質性樹脂材等の螺鈿保護材（４）にて挟み込むことにより形成されている。
【００２９】  次に、上記螺鈿加工部材本体１ａの螺鈿保護材４が接着層３を介して面状螺鈿部材２を固着保持するまでの間に、同図（ロ）の様に、前記螺鈿加工部材本体１ａの一面１ｂ側（図示しないが他面１ｃ側からでも良いし、一面１ｂ側と他面１ｃ側の双方向からでも良い。）より複数の凸部位５ａを備えた押圧体５により該螺鈿加工部材本体１ａを所定の範囲面毎又は全面を押圧（矢印Ａ）して螺鈿加工部材本体１ａ内の面状螺鈿部材２を、同図（ハ）の様に広範囲に破断させ、その後押圧体５の退避（図示せず）により面状螺鈿部材２に形成された多数の破断空間部位２ａに前記接着層３を流し込ませ、その後接着層３が固着することで、一旦多数の破断空間部位２ａを形成した面状螺鈿部材２を一面状且つ一体的に再形成することができる。
【００３０】  よって、内部の面状螺鈿部材２が多数の破断空間部位２ａに流れ込んだ接着層３を介して一面状且つ一体的に再形成されてなることから、元来硬質な面状螺鈿部材２を具備した螺鈿加工部材１を一定以上の角度に屈曲したり強く撓ませた場合であっても、従来のように螺鈿保護層を突き破ったり飛散すべく予想が出来ない箇所に割れや欠け等を介して突発する螺鈿片の発生を防止することが出来るだけでなく、該螺鈿保護材４の突き破り不良のみならず、その事が原因で生じる螺鈿加工部材本体１ａの湾曲変形をも防止することが出来るという利点がある。
【第二実施形態】
【００３１】  更に、本発明における螺鈿加工部材の製造方法は上記実施形態に限るものではなく、例えば、図２（イ）の様に、面状螺鈿部材２を所定の接着剤や溶剤等を用いた接着層３を介して可撓性を有した有色透明又は無色透明の軟質性樹脂材等の螺鈿保護材４にて挟み込みんで所定面積を伴うべくシート状に形成した螺鈿加工部材本体１ａを有する螺鈿加工部材１を、かかる接着層３により螺鈿保護材４が面状螺鈿部材２を固着保持するまでの間に、型体６の円弧部６ａに上記螺鈿加工部材１を添わせて移動（矢印Ｂ）させることにより、前記図１（ハ）の様に、該螺鈿加工部材本体１ａ内の面状螺鈿部材２を広範囲に破断させ、その後螺鈿加工部材本体１ａがもとの状態に復元する際、前記破断空間部位２ａの夫々に前記接着層３を流し込んで固着させて面状螺鈿部材２を一面状且つ一体的に再形成してもよい。
【第三実施形態】
【００３２】  又、同図（ロ）の様に、面状螺鈿部材２を所定の接着剤や溶剤等を用いた接着層３を介して可撓性を有した有色透明又は無色透明の軟質性樹脂材等の螺鈿保護材４にて挟み込みんで所定面積を伴うべくシート状に形成した螺鈿加工部材本体１ａを有する螺鈿加工部材１を、かかる接着層３により螺鈿保護材４が面状螺鈿部材２を固着保持するまでの間に、螺鈿加工部材１の一面１ｂ側（図示しないが他面１ｃ側でも良いし、一面１ｂ側と他面１ｃ側の双方向からでも良い。）より所定の円弧部６ａを有して一方向に転動（矢印Ｃ）する型体６で押圧しつつ転動方向に移動（矢印Ｄ）させた場合であっても、前記図１（ハ）の様に、該螺鈿加工部材本体１ａ内の面状螺鈿部材２を広範囲に破断させ、その後螺鈿加工部材本体１ａがもとの状態に復元する際に破断空間部位２ａの夫々に前記接着層３を流し込んで固着させることで面状螺鈿部材２を一面状且つ一体的に再形成させることができる。
【００３３】  よって、上記各実施形態の何れの場合であっても、内部の面状螺鈿部材２が多数の破断空間部位２ａに流れ込んだ接着層３を介して一面状に再形成されてなることから、螺鈿加工部材１を一定以上の角度に屈曲したり強く撓ませても、従来のように螺鈿保護層を突き破ったり飛散すべく予想が出来ない箇所に割れや欠け等で突発する螺鈿片の発生を確実に防止することが出来、しいては螺鈿保護材４の突き破り不良のみならず、その事が原因で生じる螺鈿加工部材本体１ａの湾曲変形をも防止することが出来るだけでなく、割れや欠け等の発生による面状螺鈿部材２の色調、模様、輝度等の各種異常をも確実に防いで不良が発生しない作業性の極めて良好な螺鈿加工部材１を市場に流通させることが出来るという利点を奏する。
【第四実施形態】
【００３４】  更に、上記各実施形態の方法で製造された単体の螺鈿加工部材１のみならず、例えば、図３（イ）に示す様に、破断空間部位２ａの夫々に接着層３が流し込まれて固着された面状螺鈿部材２を有する螺鈿加工部材１を矩形状に切断（所定の形状及び大きさであればよい。）に切断して得られた複数の螺鈿加工部材１の一端１Ａ側の夫々を所定の接着剤や溶剤等を介して固着し、その他方向の自由片を形成する他端１Ｂ側又は各螺鈿加工部材１全体の少なくとも何れか一方に熱風を吹き付けて、同図（ロ）の様に、各螺鈿加工部材１を熱変形させた場合には、どんなに手荒く扱っても面状螺鈿部材２に割れや欠け、更には色調、模様、輝度等の各種異常をも生じることのない花びらが開花した様な美しい外観を有した全く新しい螺鈿加工品７としての装飾具を市場に提供することが出来るという利点があるばかりか、該螺鈿加工品７に、係止部材８を固着した場合には、螺鈿特有の色調、模様、輝度を有した全く新しい輝きを放つコサージュ等の新種の装飾具として適用することが出来るという利点がある。
【００３５】  又、図示しないが、上記方法により製造された螺鈿加工部材１又は該螺鈿加工部材１を所定の形状及び大きさに切断して得られた複数の螺鈿加工部材１の一面１ｂ側又は他面１ｃ側の少なくとも何れか一方に、図３（ロ）の様に、安全ピンやクリップ等の係止部材８を固着した場合には、誰でも簡単且つ確実に装着脱出来るだけでなく、着脱時であっても面状螺鈿部材２に割れや欠け、更には色調、模様、輝度等の各種異常を生じさせずにかかる螺鈿加工部材１を用いた各種商品を長持ちさせることが出来るという利点がある。
【第五実施形態】
【００３６】  更に、上記方法により製造された螺鈿加工部材（１）の一面１ｂ側（図示しないが、他面１ｃ側でも良いし、一面１ｂ側と他面１ｃ側の双方でも良い。）に、図４（イ）に示す様に、所定の接着剤や両面テープ等を貼り付ける等にて新たに粘着層９を設け、その後該螺鈿加工部材１を、同図（ロ）の様に、所定幅の帯状（所定形状であればよい。）に切断した場合には、同図（ハ）の様に、かかる帯状の螺鈿加工部材１を、螺鈿特有の色調、模様、輝度を有した全く新しい輝きを放つ飾りテープ（所定形状に切断した場合には飾りラベルとしても使用可能となる。）として、特に高級家具、高級家電、高額パソコン等の各種部材面１１の凹面部１１ａ（凸面部であってもよい。）や湾曲面部に面状螺鈿部材２の割れや欠け、更には色調、模様、輝度等の各種異常を全く生じさせることなく誰でも簡単且つ確実に貼り付けることができ、しいてはより高級感を演出して各種製品に対する付加価値を高め利益を得ることが出来るという利点がある。
【００３７】  更に、上記図４において、上記粘着層９に、使用時に剥がしとる剥離部材１０を貼り付けた場合には、作業時まで粘着層９の粘着力を強固且つ長期に保持することが出来るだけでなく、使用時に剥離部材１０を引き剥がして各種部材面１１に貼り付ける際において、螺鈿加工部材本体１ａに強い曲げ変形を与えた場合でも、面状螺鈿部材２に割れや欠け、更には色調、模様、輝度等の各種異常を生じさせることなく誰でも簡単に使用することが出来るという利点がある。
【００３８】  従って、上記各種の螺鈿加工品によれば、着物、洋服等の衣類等に編み込んだり、更にコサージュ等多種多様のファッションアイテムとしての装飾具等のみならず高級家電製品や高級家具等特の高額商品に用いることでより簡単に高級感を演出して付加価値による利益を得ることが出来るという商業上の大きな利点を奏する。
【００３９】  更に、上記の如く粘着層９を有した螺鈿加工品をシート状等にした状態で市場に流通させることによって、消費者が各々好きな箇所に、思いのままの形状で使用することが出来るという全く新しい商品を提供することが出来るという利点を奏する。
【００４０】  上記実施形態に於いて、螺鈿保護材は有色透明または無色透明の軟質性の樹脂材で形成されているが、必ずしも軟質性の樹脂材を用いる必要はなく、要は可撓性を有すると共に面状螺鈿部材に密着重合し、且つ、螺鈿部材の色調、模様、輝度等が螺鈿保護材を通しても容易且つ鮮明に透視することが出来るものであれば、螺鈿保護材の具体的な材質や成分等も決して限定されないのは言うまでもない。
【００４１】  更に、螺鈿保護材と面状螺鈿部材を密着重合させるべく接着剤や溶着剤等を用いた接着層も螺鈿保護材と面状螺鈿部材との間に塗布、噴射等その方法も一切限定されないのは言うまでもない。
【００４２】  更に、上記実施形態に於いて、押圧体５や型体６の具体的な形状、駆動構造、材質等も一切限定されないのは言うまでもない。
【産業上の利用可能性】
【００４３】  本発明は、螺鈿加工部材を一定以上の角度に屈曲したり強く撓ませた場合でも螺鈿保護層を突き破ったり飛散すべく予想が出来ない箇所に突発する螺鈿片の発生を確実に防止して、鞄や靴、ベルト等のファッション製品への利用や、家具や寝具等のインテリア群等、極めて広範囲の用途にも使用可能で、しかもどんなに手荒く扱っても面状螺鈿部材に割れや欠け、更には色調、模様、輝度等の各種異常をも生じることのない美しい外観を有した全く新しい輝きを放つコサージュ等の新種装飾具のみならず螺鈿特有の色調、模様、輝度を有した全く新しい輝きを放つ飾りテープや飾りラベル等として、特に高級家具、高級家電、高額パソコン等の凹凸面部や湾曲面部に適用させてより高級感を演出して各種製品に対する付加価値を高めることが出来る螺鈿加工部材及び該螺細加工部材を用いた螺鈿加工品を市場に提供するものである。
【図面の簡単な説明】
【００４４】
【図１】本発明の螺鈿加工部材の製造方法を示し、同図（イ）、（ロ）、（ハ）は一部拡大側面図。
【図２】本発明の螺鈿加工部材の他の製造方法を示し、同図（イ）は一部側面図。同図（ロ）は一部拡大側面図。
【図３】本発明の螺鈿加工部材の製造方法を用いて製造された螺鈿加工部材を示し、同図（イ）は斜視図。同図（ロ）は同図（イ）の螺鈿加工部材を用いた螺鈿加工品の斜視図。
【図４】本発明の螺鈿加工部材の製造方法を用いて製造された他の螺鈿加工部材を示し、同図（イ）、（ロ）は一部拡大側面図。同図（ハ）は同図（イ）、（ロ）の螺鈿加工部材の使用例を示す斜視図。
【符号の説明】
【００４５】  １…螺鈿加工部材
１ａ…螺鈿加工部材本体
１ｂ…螺鈿加工部材本体の一面
１ｃ…螺鈿加工部材本体の他面
２…面状螺鈿部材
２ａ…破断空間部位
３…接着層
４…螺鈿保護材
５…押圧体
５ａ…凸部位
６…型体
６ａ…円弧部
７…螺鈿加工品
８…係止部材
９…粘着層
１０…剥離部材
【図１】
2007196644.tif 000003
【図２】
2007196644.tif 000004
【図３】
2007196644.tif 000005
【図４】
2007196644.tif 000006